(57)【要約】      （修正有）【課題】封液の量を、容易に確認することができる給油器（オイラー）を提供する。【解決手段】上部に開口部を有して有底筒状に形成された給油器本体３と、開口部を閉止するように給油器本体３に着脱自在に取り付けられる蓋体４から構成される給油器であって、給油器本体３及び蓋体４は、透明性を有する素材で構成されている。これにより、内部の封液の量を、外部から目視によって容易に確認することができる。【選択図】図１
0003199469.tif 000002
【実用新案登録請求の範囲】
【請求項１】
上部に開口部を有して有底筒状に形成された給油器本体と、前記開口部を閉止するように前記給油器本体に着脱自在に取り付けられる蓋体から構成される給油器であって、
前記給油器本体及び蓋体は、透明性を有する素材で構成されていること
を特徴とする給油器。
【請求項２】
前記素材は、
合成樹脂素材であること
を特徴とする請求項１に記載の給油器。
【請求項３】
前記合成樹脂素材は、
ポリカーボネート樹脂であること
を特徴とする請求項２に記載の給油器。
【請求項４】
前記給油器本体の側壁及び底壁の肉厚は、
少なくとも１０ｍｍであること
を特徴とする請求項１〜３のいずれかに記載の給油器。
【考案の詳細な説明】
【技術分野】
【０００１】
この考案は、ポンプや攪拌機などの機器のメカニカルシールや、軸受（ボールベアリング）に設けられ、潤滑油などの内部封液の管理を助け、内部封液を供給するための給油器（オイラーないしオイルカップ）に関する。
【背景技術】
【０００２】
従来、ポンプや攪拌機などの機器のメカニカルシールや、軸受（ボールベアリング）には、潤滑油などの内部封液の管理を助け、内部封液を供給するため、オイラー（又はオイルカップ）が設けられている。
【０００３】
例えば、真空ポンプにおいては、駆動軸のモータ側において、ポンプケース端板の外側に前カバーが取付けられ、該前カバーの駆動軸に沿う前後２箇所がオイルシールされ、この前後オイルシール間に給油孔が設けられ、その給油のため、該給油孔の鉛直上方にオイラーが取付けられている。
【０００４】
実公昭６３−４７６７１号公報（特許文献１）においては、鉛直型、水平型のポンプ相互に互換性を有する給油構造と、オイルシール交換に際し前カバーの取外しを不要とした回転容積型真空ポンプが提案されている。
【０００５】
前記回転容積型真空ポンプにおいては、駆動軸に対し間隔を存して同心に嵌挿されたオイルシール支持筒が前記前カバーに対し外部より着脱自在に取付けられ、前記前カバーの外面で前記支持筒が占める部分を避けて脚状モータ台が着脱可能に固定され、前記支持筒の内側で駆動軸の長さ方向に沿う前後にオイルシールが装着され、該オイルシールの間に油を導くように、前記支持筒および前カバーを貫通して油孔が駆動軸および従動軸の軸線を含む平面に対し傾斜した向きで設けられ、該油孔の端部には軸心回りに回転可能なエルボを介してオイルカップが装着されている。
【先行技術文献】
【特許文献】
【０００６】
【特許文献１】実公昭６３−４７６７１号公報（請求項１，図２）
【考案の概要】
【考案が解決しようとする課題】
【０００７】
前記特許文献１に記載の回転容積型真空ポンプにおいて使用されているオイルカップなど、従来のオイラーは、耐油性や、耐熱性、強度の観点から、ステンレスなどの金属素材で構成されていた。
そのため、オイラーの内部の潤滑油などの封液の量の確認に際しては、蓋を取外して目視で確認する必要があるため、その確認作業は煩雑であった。
【０００８】
特に、オイラーを備えるポンプなどの機器が、他の装置の内部に組み込まれている場合には、上記封液の量の確認が非常に困難となる場合があった。
【０００９】
この考案は、かかる現状に鑑み、封液の量を、蓋を開けることなく、容易に確認することができる給油器（オイラー）を提供することを目的とするものである。
【課題を解決するための手段】
【００１０】
前記目的を達成するため、この考案の給油器は、
上部に開口部を有する有底筒状の給油器本体と、前記開口部を閉止する蓋体から構成される給油器であって、
前記給油器本体及び蓋体は、透明性を有する素材で構成されていること
を特徴とするものである。
【００１１】
請求項２に記載の考案は、
請求項１に記載の給油器において、
前記素材は、
合成樹脂素材であること
を特徴とするものである。
【００１２】
請求項３に記載の考案は、
請求項２に記載の給油器において、
前記合成樹脂素材は、
ポリカーボネート樹脂であること
を特徴とするものである。
【００１３】
請求項４に記載の考案は、
請求項１〜３のいずれかに記載の給油器において、
前記給油器本体の側壁及び底壁の肉厚は、
少なくとも１０ｍｍであること
を特徴とするものである。
【考案の効果】
【００１４】
この考案にかかる給油器は、透明性を有する素材、特に強度、耐油および耐熱性に優れたポリカーボネート樹脂で構成されているので、その内部の封液の量を、蓋体を開けることなく、外部から目視によって容易に確認することができる。
【００１５】
さらに、この考案にかかる給油器を構成する給油器本体については、その側壁及び底壁の肉厚を、少なくとも１０ｍｍにすることで、給油器に掛かり得る高い圧力にも耐え得るものとすることができる。
【図面の簡単な説明】
【００１６】
【図１】この考案にかかる給油器を備えるポンプの一例を示す断面図である。
【図２】この考案にかかる給油器の一例を示す斜視図である。
【考案を実施するための形態】
【００１７】
以下、この考案にかかる給油器の実施の形態を、添付の図面に基づいて具体的に説明する。
なお、この考案の給油器は、図示の実施例に限定されるものではなく、考案の要旨を変更しない範囲内で改良を加えることができるものである。
【００１８】
図１に示されているように、この考案の給油器２は、その内部に潤滑油などの封液が充填されるもので、ポンプ１の軸受（ボールベアリング）の鉛直上方に取付けられている。
【００１９】
前記給油器２は、図１〜２に示されているように、所要の大きさの給油器本体３と、前記開口部を閉止するように前記給油器本体３に着脱自在に取り付けられる蓋体４と、から構成されるものである。
【００２０】
前記給油器本体３は、その上部に所要の大きさの開口部を有して有底筒状に形成され、その底部中央部には、前記ポンプ１に連結管６を介して接続される筒状の連結部３ａが形成されている。
封液は、前記連結部３ａに給油器本体３内部と連通して形成された流出口３ｂから、連結管６内部を通って前記ポンプ１の給油口７に流出する。
【００２１】
この考案において、前記給油器本体３は、透明性を有する素材で構成される。
このような素材としては、例えば、ポリカーボネート樹脂やアクリル樹脂などの合成樹脂を挙げることができる。
透明性は、給油器本体３内部の液面が判別できる程度のものであればよい。
したがって、上記のうち、強度（１０ｋｇｗ以上）、耐油および耐熱性（温度７０〜８０℃以上）の観点から、ポリカーボネート樹脂を選択することが好ましい。
【００２２】
この実施例において、前記給油器本体３は、その側壁および底壁の肉厚が、少なくとも１０ｍｍになるように形成されている。
このような構成によって、給油器本体３は、掛かり得る高い圧力にも耐え得るものとなる。
【００２３】
前記給油器本体３は、前記素材から熱溶着、成型または削り出しなどの公知の方法により製造することができるが、密閉性や、熱による影響の観点から、削り出しによって製造することが好ましい。
【００２４】
前記蓋体４は、前記給油器本体３の開口部を閉止するキャップ部材４ａと、前記給油器本体３の内周面と当接する円筒状のスカート部材４ｂで構成されている。
【００２５】
前記スカート部材４ｂの外周面には、螺子が形成されている。
これに対応するように、前記給油器本体３の上部開口部には、所要の幅および深さ切り欠いて切欠きが形成されるとともに、その内周面に螺子が形成され、前記蓋体４が前記給油器本体３に螺合する構成となっている。
【００２６】
前記蓋体４も、前記給油器本体３と同様に、透明性を有する素材で構成される。
この素材については、前記の通りで、強度、耐油および耐熱性の観点からポリカーボネート樹脂を選択することが好ましい。
【００２７】
さらに、この実施例においては、前記蓋体４は、前記同様、強度の観点から、そのキャップ部材４ａの肉厚が、少なくとも１０ｍｍになるように形成されている。
【００２８】
前記蓋体４については、前記素材から熱溶着、成型または削り出しなどの公知の方法により製造することができる。
密閉性や、熱による影響の観点から、削り出しによって製造することが好ましい。
【００２９】
なお、この実施例においては、前記蓋体４のキャップ部材４ａの外周面には、ローレット加工が施されている。
このローレット加工は、前記蓋体４を指で掴んで回すときの滑り止めとして機能し、前記蓋体４の開閉を容易にするものである。
【００３０】
前記給油器本体３と前記蓋体４の間には、密閉性の向上のため、Ｏリングなどのシール部材を設けることができる。
この実施例においては、前記蓋体４のスカート部材４ｂの基端部の周囲に、所要深さ切欠いて溝が形成され、この溝にＯリング５が設けられている。
【産業上の利用可能性】
【００３１】
この考案にかかる給油器は、透明性を有する素材で構成されているので、その内部の封液の量を、蓋体を開けることなく、外部から目視によって容易に確認することができるので、給油器を製造ないし取扱う業界に利用される可能性の高いものである。
【符号の説明】
【００３２】
１      ポンプ
２      給油器
３      給油器本体
３ａ    連結部
３ｂ    流出口
４      蓋体
４ａ    キャップ部材
４ｂ    スカート部材
５      Ｏリング
６      連結管
７      給油口
【図１】
0003199469.tif 000003
【図２】
0003199469.tif 000004